(57)【要約】アナログ音声信号を示す無線通信またはデジタルオーディオデータ（２４０）のためのポータブル通信装置（２００）は外部ターミナル（３００）との間でデジタル非オーディオデータ（２４２、２４４）を交換するための非同期インターフェース（２５０）を有する。この装置（２００）は非同期インターフェース（２５０）を通して外部ターミナル（３００）との間でデジタルオーディオデータ（２４０）を非同期で交換するようになっている。
2004511985.tif 000002
【特許請求の範囲】
【請求項１】
外部ターミナル（１８、３００）との間でデジタル非オーディオデータ（２４２、２４４）を交換するための非同期インターフェース（１６、２５０）を有し、アナログ音声信号を表示するデジタルオーディオデータ（２４０）を無線伝送するためのポータブル通信装置（１、２００）において、
前記装置（１、２００）が前記非同期インターフェース（１６、２５０）を通して前記外部ターミナル（１８、３００）との間で前記デジタルオーディオデータ（２４０、４１４）を非同期で交換するようになっていることを特徴とする、ポータブル通信装置（１、２００）。
【請求項２】
前記デジタル非オーディオデータ（２４２、２４４）が二進データ（４１３）および／またはファクシミリデータ（４１５）に関連するものである、請求項１記載のポータブル通信装置。
【請求項３】
前記非同期インターフェース（１６、２５０）がシリアル通信手段を含む、請求項１または２記載のポータブル通信装置。
【請求項４】
前記非同期インターフェース（１６、２５０）が多重化プロトコル（２５４、４００）を含む、請求項２または３記載のポータブル通信装置。
【請求項５】
前記多重化プロトコル（２５４、４００）が３Ｇ　ＴＳ　２７．０１０またはＥＴＳＩ　ＧＳＭ　０７．１０を満たすものである、請求項４記載のポータブル通信装置。
【請求項６】
前記多重化プロトコル（２５４、４００）がＧＳＭ無線データ収束層（２５２、４１０）を含む、請求項５記載のポータブル通信装置。
【請求項７】
前記装置が携帯電話（１、２００）である、前のいずれかの請求項に記載のポータブル通信装置。
【請求項８】
ポータブル通信装置との間でデジタル非オーディオデータ（３４２、３４４）を交換するための非同期インターフェース（３５０）を有し、アナログ音声信号を表示するデジタルオーディオデータ（２４０）を無線伝送できるタイプのポータブル通信装置（１、２００）と共に使用するための外部ターミナル（１８、３００）において、
前記非同期インターフェース（３５０）との間でコード化されたデジタルオーディオデータ（３４０、４１４）を伝送し、前記ポータブル通信装置（１、２００）との間で交換するようになっており、更に前記外部ターミナル内のオーディオ入力または出力デバイス（３３６、３３８）との間でデコードされた音声信号を伝送するようになっているスピーチエンコーダ、デコーダ（３２０）を特徴とする外部ターミナル。
【請求項９】
前記デジタル非オーディオデータ（３４２、３４４）が二進データ（４１３）および／またはファクシミリデータ（４１５）に関連するものである、請求項８記載の外部ターミナル。
【請求項１０】
前記非同期インターフェース（３５０）がシリアル通信手段を含む、請求項８または９記載の外部ターミナル。
【請求項１１】
前記非同期インターフェース（３５０）が多重化プロトコル（３５４、４００）を含む、請求項１０記載の外部ターミナル。
【請求項１２】
前記多重化プロトコル（３５４、４００）が３Ｇ　ＴＳ　２７．０１０またはＥＴＳＩ　ＧＳＭ　０７．１０を満たすものである、請求項１１記載の外部ターミナル。
【請求項１３】
前記多重化プロトコル（３５４、４００）がＧＳＭ無線データ収束層（３５２、４１０）を含む、請求項１２記載の外部ターミナル。
【請求項１４】
前記ターミナルがパソコン（１８、３００）である、請求項８〜１３のいずれかに記載の外部ターミナル。
【請求項１５】
ポータブル通信装置（１、２００）と該ポータブル通信装置に接続された外部ターミナル（１８、３００）との間でアナログ音声信号を表示するデジタルオーディオデータ（２４０、３４０）を伝送する方法において、
デジタル非オーディオデータ（２４２、２４４、３４２、３４４、４１３、４１５）の非同期伝送もサポートしている多重化非同期プロトコル（２５４、３５４、４００）に従ってデジタルオーディオデータ（２４０、３４０、４１４）を非同期で伝送する、デジタルオーディオデータの伝送方法。
【請求項１６】
前記デジタル非オーディオデータが二進データ（２４２、３４２、４１３）および／またはファクシミリデータ（２４４、３４４、４１５）に関連するものである、請求項１５記載の方法。
【請求項１７】
前記多重化プロトコル（２５４、、３５４、４００）が３Ｇ　ＴＳ　２７．０１０またはＥＴＳＩ　ＧＳＭ　０７．１０を満たすものである、請求項１６記載の方法。
【請求項１８】
前記多重化プロトコル（２５４、３５４、４００）がＧＳＭ無線データ収束層（２５２、３５２、４１０）を含む、請求項１７記載の方法。
【請求項１９】
前記ポータブル通信装置（１、２００）が携帯電話である、請求項１５〜１８のいずれかに記載のポータブル通信装置。
【請求項２０】
外部ターミナル（１８、３００）がパソコンである、請求項１５〜１９のいずれかに記載の方法。
【発明の詳細な説明】
【０００１】
（技術分野）
本発明は、一般的には人であるユーザーとの間で音声情報、すなわちスピーチ信号を伝送できるタイプのポータブル通信装置に関する。より詳細には、本発明は外部ターミナルとの間でデジタルデータを交換するための非同期インターフェースを有するポータブル通信装置に関する。
【０００２】
（従来技術の説明）
上記のようなポータブル通信装置の例として、携帯電話、コードレス電話、ポータブルデジタルアシスタント、通信機、ページング装置、電子支払い装置またはポータブルナビゲーション装置が挙げられる。本明細書の他の部分ではＧＳＭまたはＵＭＴＳのようなポータブル通信ネットワークのための携帯電話を参照する。しかしながら本発明は携帯電話だけに限定されるものではなく、本発明は添付した独立請求項に最良に定義されている。
【０００３】
従来、古い携帯電話は、携帯通信ネットワークおよび多くの状況では公衆交換電話ネットワークを介して、人である二人のユーザーの間で音声通信を行うだけであった。最近では、携帯電話には別の機能、例えばポータブル通信装置と外部ターミナルとの間で二進データおよび／またはファクシミリデータを転送できる機能が設けられるようになってきた。かかる外部ターミナルとして、例えばデスクトップパソコン、ポータブルパソコンまたはパームトップコンピュータを挙げることができる。通常、外部ターミナルはワイヤーをベースとするインターフェース（例えば携帯電話上のシステムコネクタに接続されるシリアルケーブル）、赤外線リンク（例えばＩｒＤＡ）または近距離補助データ通信用無線リンク（例えば２．４ＧＨｚのＩＳＭバンドを通したブルートゥース（登録商標））を介し、携帯電話に接続される。
【０００４】
二進データまたはファクシミリデータは通常、携帯電話と外部ターミナルとの間で非同期状態で送信される。二進データおよびファクシミリデータの性質によってこれらデータは非同期で送信するのに適している。すなわち転送すべきデータは可変長さのパケットに分割でき、これらパケットはその後、受信側（携帯電話または外部ターミナル）で受信され、再現される。
【０００５】
他方、デジタル音声信号は通常、例えば厳格なタイミング条件により連続ビットストリーム転送を行う、ＰＣＭの６４ｋｂ／ｓの符号化を使用することにより、電話システム内で同期状態で転送される。このように、タイミング条件が厳格となっている理由は明らかである。すなわち人の音声には、「リアルタイム」の性質があり、この性質は非同期転送で起こり得るような予測されない遅延、すなわちバッファリングを認めないからである。
【０００６】
従来、携帯電話と外部ターミナルとの間では音声信号を同期状態で伝送しなければならなかったことを念頭に入れると、このことと非同期の二進データまたはファクシミリデータの同時転送とを組み合わせることは困難である。換言すれば、共通する多重化接続装置で非同期二進データまたはファクシミリデータを転送しようとしながら、同時に携帯電話と外部ターミナルとの間で（保留されたタイミングで）音声信号を転送しようと試みると、問題が生じ得る。この問題が生じる理由は、音声サンプルはこれらサンプルが発生されたタイミングと同じ正確なタイミングで、これら音声サンプルを送らなければならないことにある。一般に、バッファリングは認められない。いずれの場合においてもバッファリングは許容できないほど大きい遅延時間または遅延ジッターを生じ得るので、大きな注意を払ってバッファリングを行わなければならない。接続装置を通して多量の非同期二進データまたはファクシミリデータを送る場合、連続する音声サンプルの間のタイミングが失われる程度に音声サンプルの一部が遅延され得る。
【０００７】
国際特許出願第ＷＯ９８／３５５１７号はポータブル通信デバイスおよび外部付属品を開示しており、これらの間では同期式デジタルインターフェースを通してフルデュプレックスの非同期通信が行われるようになっている。同期デジタル音声信号は同期式インターフェースに対して非同期データ信号と多重化される。
【０００８】
（発明の概要）
本発明の目的は同じ接続装置で二進データまたはファクシミリデータと共にデジタルスピーチ信号を同時に転送できるようにすることにある。より詳細には、本発明はスピーチ信号の伝送が容量の点で効率的である場合に移動局と外部ターミナルとの間で非同期データ転送と共に多重化された接続装置を通して音声信号を伝送することを目的とするものである。
【０００９】
上記目的は移動局および外部ターミナルが二進データおよびファクシミリデータの伝送だけでなく、スピーチ信号の転送のためにも非同期通信プロトコルを使用できるようにすることによって達成される。スピーチ信号は二進データおよびファクシミリデータと共に上記非同期通信プロトコルを通してコード化されたフォーム（例えばＧＳＭコード化されたフォーム）で、非同期で転送される。
【００１０】
より詳細にはこれら目的は３つの対策を組み合わせることによって達成される。
【００１１】
スピーチ信号は圧縮（コード化）され、これによって必要なバンド幅を狭くすることができる。
【００１２】
スピーチ信号は二進データおよびファクシミリデータよりも優先化される。時間毎に利用できる充分なバンド幅がある場合、二進データおよびファクシミリデータはスピーチ信号と多重化される。そうしない場合、スピーチ信号だけを伝送する。
【００１３】
スピーチ信号の所定の同期化を可能にするように、非同期通信プロトコルに対してフロー制御を実施する。このように、非同期通信プロトコルを通して仮想的な同期式スピーチチャンネルが設定される。
【００１４】
上記目的に対する解決案は、添付された独立請求項に最良に記載されている。その他の目的、特徴および利点は次の詳細な説明、従属請求項だけでなく、添付図面からも明らかとなろう。
【００１５】
本明細書で使用する「備える／備えた／含む／含んだ」なる用語は、記載した特徴、数量、工程または部品の存在を特定するものであり、その他の１つ以上の特徴、数量、工程、部品またはそれらの群が存在すること、またはそれらの群を追加することを排除するものではないことを強調したい。
【００１６】
以下、添付図面を参照し、本発明の好ましい実施例について更に詳細に説明する。
【００１７】
（発明の詳細な開示）
まず図１を参照する。この図は例示された携帯電話１の形態をした携帯通信装置だけでなく、この携帯電話１が作動する環境も示している。この携帯電話１は通常の状態でディスプレイ２、キーボード３、ラウドスピーカー４およびマイク５を備える。これら構成部品２〜５は共に人とマシンとのインターフェースを形成し、このインターフェースを通して携帯電話１のユーザーは携帯電話と相互対話したり、この携帯電話を操作することができる。更に、携帯電話１は基地局１０を通して携帯通信ネットワーク１１に対する無線接続９を確立するための第１アンテナ６を備える。この携帯通信ネットワーク１１は、例えばＧＳＭネットワーク（移動通信のためのグローバルシステム）またはＵＭＴＳ（ユニバーサル移動電話システム）とすることができる。携帯電話１はゲートウェイ１２を介し、無線リンク９を通し、グローバル情報ネットワーク１３にアクセスするのにも使用できる。このグローバル情報ネットワーク１３はインターネットでよく、ゲートウェイ１２はＷＡＰサーバーでよい。
【００１８】
例示された携帯電話１は第２アンテナ７も備える。この第２アンテナ７は第１外部デバイス１５に対する短距離の補助的データ接続１４を確立するのに使用できる。リンク１４は本明細書の冒頭部分で説明したようなブルートゥース（登録商標）リンクとすることができる。外部デバイス１５は例えばプリンタ、ファクシミリデバイス、モデム、コードレス電話の付属品（例えばヘッドセット）、コンピュータ（例えば固定デスクトップコンピュータまたはポータブルのラップトップコンピュータ）とすることができるが、他の多くのデバイスを使用することもできる。
【００１９】
携帯電話１は上記のほかにＩＲ（赤外線）インターフェース８も備え、この赤外線インターフェースにより携帯電話は例えば図１のモデムを例とする第２外部デバイス２０に対する赤外線リンク１９を確立できる。
【００２０】
更に、シリアルケーブル１７を通して携帯電話１に第３外部デバイス１８を接続でき、このケーブル１７は携帯電話１のハウジング内のシステムコネクタ１６にプラグインされる。本明細書の他の部分では、この第３外部デバイス１８を「外部ターミナル」と称す。
【００２１】
この外部ターミナル１８の例として、図１に示されたデスクトップパソコンがある。しかしながら、この外部ターミナルは同じようにポータブルパソコン、パームトップコンピュータ、ポータブルデジタルアシスタントなどでもよい。この外部ターミナル１８は携帯電話１との異なるタイプのデジタル通信、例えばターミナル１８と電話１との間の二進データおよび／または電子ファクシミリデータの転送を行うことができる。更に、以下に説明するように、ターミナル１８と電話１との間で音声情報（例えば人の言葉）を伝送できる。特に、考えられる用途として、ユーザーが移動電話の対応する構成部品ではなく外部ターミナル１８のスピーカーおよびマイクを通して話したり聞いたりする状況が挙げられる。換言すれば、外部ターミナル１８はかかる用途におけるある種のハンズフリー機器として使用される。
【００２２】
図２には携帯電話およびパソコンが詳細に示されている。図２の移動局２００は図１の携帯電話１に対応するが、図２のパソコン３００は図１の外部ターミナル１８を示している。
【００２３】
移動局２００は、ＧＳＭ　ＴＤＭＡ電話であり、アンテナ２０２、無線ブロック２１０、チャンネルコード化／デコード化ブロック２２０、スピーチ信号コード化／デコード化ブロック２３０、コントローラ２０４、マイク２３６およびスピーカー２３８を備える。これら構成部品は一般に市販されているＴＤＭＡ電話として周知の一般的な構造となっている。従って、これらについては以下、簡単にしか説明しない。これらの詳細なアーキテクチャについては当業者には周知であると考えられる。
【００２４】
音声信号コード化／デコード化ブロック２３０は音声信号エンコーダ２３２を備え、このエンーダの入力端はマイク２３４の出力端に接続されており、エンコーダの出力端はブロック２２０内のチャンネルエンコーダ２２２の入力端に接続されている。チャンネルエンコーダ２２２の出力端は送信機２１２の入力端に接続されており、送信機２１２は無線ブロック２１０の一部となっている。この送信機２１２の出力端はアンテナ２０２に接続されている。従って、マイク２３６は周知の方法でユーザーからの話された可聴入力信号を受け、これを対応する電気信号に変換する。変換された電気信号はスピーチエンコーダ２３２へ送られる。このスピーチエンコーダ２３２は信号をデジタル信号に変換し、次にこの信号に対し、（適用できるＧＳＭ仕様、例えばＧＳＭ／ＤＣＳ技術仕様０６．１０に従って）ＨＲ、ＦＲまたはＥＦＲスピーチ信号のコード化を実行し、この結果得られた信号をチャンネルエンコーダ２２２へ送る。チャンネルエンコーダ２２２はＧＳＭ　ＴＤＭＡ規格に従って（例えばＧＳＭ／ＤＣＳ技術仕様０５．０３に従って）チャンネルコード化を実行する。チャンネルエンコーダ２２２の出力信号は送信機２１２へ送られる。この送信機は種々の電子回路、例えばパワーアンプ、フィルタ、局部発振器および混合器を備える。送信機２１２の出力信号は９００または１８００ＭＨｚバンドの高周波ＴＤＭＡ信号であり、この信号はアンテナ０２に供給され、アンテナ２０２から伝搬する電磁波として空中へ発射される。
【００２５】
従って、アンテナ２０２で着信ＴＤＭＡ信号が受信され、この信号は無線ブロック２１０内の受信機２１４によって処理される。基本的には、受信機２１４の作動は送信機２１２の作動と逆である。受信機２１４の出力信号はブロック２２０内のチャンネルデコーダ２２４内でデコードされ、更にスピーチデコーダ２３４内でデコードされる。このデコーダの出力信号はスピーカー２３８へ送られ、スピーカー２３８はこの電気信号をユーザーに送る可聴音波に変換する。
【００２６】
容易に実現されるように、コントローラ２０４は移動局２００の全体の作動および制御の役割を果たす。このコントローラ２０４は市販されている任意のマイクロプロセッサまたは別のタイプのプログラマブル論理回路で実現することが好ましい。
【００２７】
移動局２００は通信ユニット２５０も有し、この通信ユニット２５０は物理的接続部２６０を通してパソコン３００（例えば外部ターミナル）との非同期インターフェースを形成する。接続部２６０はシリアルケーブルを通して設定されることが好ましいが、ワイヤーをベースとするリンク以外のリンク、例えば赤外線リンク（例えばＩｒＤＡ）または短距離補助データリンク（例えばブルートゥース（登録商標））も同じように使用できる。
【００２８】
通信ユニット２５０は適当な制御ロジックおよびソフトウェアと組み合わされたシリアル通信のための回路、例えばＵＡＲＴ、ＭＵＸなどを備える。この通信ユニット２５０は３Ｇ　ＴＳ　２７．０１０多重化プロトコル（図３では参照番号２５４、図３では４００に基づく非同期シリアル通信プロトコルを形成する。このプロトコルは第３世代パートナーシッププロジェクト（３Ｇ　ＰＰ）の一部であり、無線データ収束層２５２、４１０を備える。これら層については図３を参照してより詳細に説明する。しかしながら、以下の基本的条件が満たされる限り、ＥＴＳＩ　ＧＳＭ　０７．１０プロトコルのような他の非同期通信プロトコルも同じように使用できる。
【００２９】
通信ユニット２５０は物理的接続部２６０を通してパソコン３００への非同期通信チャンネルを提供し、このパソコン３００を通して二進データ２４２およびファクシミリデータ２４４を伝送できる。本発明によれば、上記の他に通信ユニット２５０はプロトコル層２５２および２５４を通してパソコン３００へＧＳＭでコード化された音声信号を示すデジタルオーディオデータ２４０を伝送するようにもなっている。例えばＧＳＭでコード化されたデジタルオーディオデータは無線ブロック２１０（図３内のデータフィールド４１４）の送信機２１２から直接受信でき、ＧＳＭ無線データ収束層４１０内のデータフィールド４１２内へ挿入され、更に３Ｇ　ＴＳ　２７．０１０多重化プロトコル２５４、４００のデータフィールド４０５内に挿入され、最終的に物理接続部２６０を横断してパソコン３００へ転送できる。ここでデジタルオーディオデータはパソコン３００の通信ユニット３５０内の層３５４／４００および３５２／４１０を通してアンパックされる。次に、アンパックされたＧＳＭコード化されたデジタルオーディオデータ３４０はＧＳＭスピーチ信号エンコーダ／デコーダ３２０へ送られ、このエンコーダ／デコーダはチャンネルコード化／デコード化ブロック２２０内のチャンネルデコーダ２２２および移動局２００のスピーチコード化／デコード化ブロック２３０内のスピーチ信号デコーダ２３４の上記動作に対応するチャンネルおよびスピーチデコーディングを実行する。このように、デコードされた音声信号をオーディオアプリケーション３１０へ供給することができる。このアプリケーション３１０はパソコン３００のスピーカー３３８を通して音声信号を発する。
【００３０】
更に、オーディオアプリケーション３１０はパソコン３００のマイク３３６を通して音声信号を捕捉し、この音声信号をＧＳＭスピーチエンコーダ／デコーダ３２０へ送ることができる。ここで、ＧＳＭコード化されたデジタルオーディオデータ３４０が発生され、通信ユニット３５０へ送られる。通信ユニット３５０は収束層３５２／４１０のデータフィールド４１２にデジタルオーディオデータ４１４を挿入する。次にこのデータは２７．０１０多重化プロトコル３５４／４００のデータフィールド４０５内に挿入され、物理接続部２６０を通して移動局２００の通信ユニット２５０へ送信される。パソコン３００のマイク３３６から得られたデジタル音声データはプロトコル２５４／４００および２５２／４１０を横断し、最終的にＧＳＭコード化されたデジタルオーディオデータ２４０として移動局２００の送信機２１２へ供給され、この送信機はパソコン３００のユーザーからのスピーチ信号を示す受信したデジタルオーディオデータをアンテナ２０２を通して別の移動通信者へ送信できる。
【００３１】
従って、好ましい実施例では非同期通信プロトコルを通して音声信号に関連するデジタルオーディオデータをＧＳＭコード化されたスピーチ信号として転送することができる。この場合、ＧＳＭコード化されたスピーチ信号は他のデジタルデータ、例えば二進データ２４２／３４２／４１０またはファクシミリデータ２４４／３４４／４１５と多重化できる。これによって少なくとも２つの重要な利点が得られる。まず第１に、スピーチ信号はＧＳＭコード化されているので、転送のために少ない容量でよい。第２に、３Ｇ　ＴＳ　２７．０１０多重化プロトコルは既に、例えば二進データおよびファクシミリデータの非同期津審に利用できるので、スピーチ信号の転送のために別の収束層を実現する必要がない。その代わりに可能な場合には二進データおよび／またはファクシミリデータと共に多重化された状態で、移動局と外部ターミナルとの間でＧＳＭコード化されたスピーチ信号が非同期で伝送される。
【００３２】
次に図３を参照する。上記非同期通信プロトコルについてより詳細に説明する。既に説明したように、３Ｇ　ＴＳ　２７．０１０多重化プロトコル４００は二進データ（例えば無線リンクプロトコルデータ）４１３だけでなく、より高いデータ層４２０のファクシミリデータ（例えばファックスプロトコルデータ）４１５も中間ＧＳＭ無線データ収束層４１０を通して伝送できる。本発明によれば、二進データ４１３およびファクシミリデータ４１５と共に非同期の多重化された状態で２７．０１０プロトコル４００の収束層４１０を通してｇコード化された音声４１４も伝送できる。
【００３３】
図３には２７．０１０プロトコル４００のフレームフォーマットが示されており、このフォーマットは１バイトの長さを有するフレームフィールド４０１の開始点と共にスタートする。次に１バイトのアドレスフィールド４０２が設けられている。このアドレスフィールド４０２は移動局２００と外部ターミナル３００との間の１２７個の異なるロジカルチャンネルのうちの１つを示すＤＬＣＩ（「データリンク接続識別子」）値を含む。３Ｇ　ＴＳ　２７．０１０のロジカルチャンネルは優先順序が与えられる。すなわちチャンネル０には最高の優先度が与えられ、チャンネル１２６には最低の優先度が与えられる。ＧＳＭコード化された音声４１４は高い優先度の論理チャンネルを通して伝送されるが、他方、二進データ４１３およびファクシミリデータ４１５は低い優先度のロジカルチャンネルを使用することができる。
【００３４】
アドレスフィールド４０２の後には１バイトの長さを有する制御フィールド４０３が設けられている。この制御フィールドは標準的なＨＤＬＣ制御値を含むが、この制御値については詳細には言及しない。データ長さフィールド４０４はその後のデータフィールド４０５の長さを示す。このデータフィールドにはプロトコル４００を通して伝送すべき実際の情報が載っている。二進データ４１３およびファクシミリデータ４１５を伝送するには、より短いデータフィールド４０５を使用し、よって最大長さのデータフィールド４０５内でＧＳＭコード化された音声４１４を伝送できるようにすることが好ましい。
【００３５】
２７．０１０プロトコル４００のフレー無構造には１バイトのフレームチェックシーケンスフィールドが続く。このフィールドは（制御フィールド４０３によって設定されるような）フレームタイプに応じてフィールド４０１、４０２および４０３、またはすべてのフィールド４０１〜４０５のいずれかで計算された標準的なＨＤＬＣフレームチェックシーケンス値を記憶するようになっている。このフレームは１バイトを占めるフレームフィールド終了点（ＥＯＦ）４０７で完了する。
【００３６】
収束層４１０は送信すべきデータ４１２にＤＴＸ／クレジットバイト４１１を添付するが、このデータ４１２は無線リンクプロトコルデータ４１３、ファックスプロトコルデータ４１５またはＧＳＭコード化された音声データ４１４とすることができる。このため、移動局２００が送るべきデータを有していない場合、送信機２１２がアイドル状態となるように移動局２００からの無線送信を制御できる。この機能は不連続送信（ＤＴＸ）と称す。ＤＴＸを扱うのに必要な情報はＤＴＸ／クレジットバイト４１１の最大位ビットを占めるＤＴＸビットで外部ターミナル３００から移動局２００へ搬送される。
【００３７】
更に次のように、ＤＴＸ／クレジットバイト４１１の３つの最小位ビットが使用される。移動局２００はアップリンクの無線データフレームをバッファ化できる。外部ターミナル３００がどれだけ多くの無線データフレームを受け入れできるかを外部ターミナル３００に伝えるために、移動局は外部ターミナル３００にクレジット値を提供する。外部ターミナルは移動局に送られる無線データフレームごとにクレジットを減らす。移動局が無線データフレームを送信できる場合、移動局は再びクレジットを増やす。移動局２００から外部ターミナル３００へはデータフレーム４１２と共にクレジット値更新情報が送られる。最大クレジット値は７であり、このクレジット値はある種のフロー制御として移動局２００から外部ターミナル３００へ使用することもできる。外部ターミナル３００は、移動局２００が外部ターミナル３００へ無線データフレームを送ることができず、従って無線データを廃棄しなければならないことを示す０のクレジット値を移動局２００へ送ることができ、従って、本発明ではバッファのオーバーフローおよびスピーチフレームの損失を防止するために、送り側（例えば移動局）と受信側（例えばパソコン）とを同期するのに上記ＤＴＸ／クレジット機構を使用している。
【００３８】
以上で、いくつかの実施例を参照して本発明について説明したが、特許請求の範囲に最良に記載されている本発明の範囲内で上記以外の実施例も同じように実施できると理解すべきである。
【図面の簡単な説明】
【図１】
移動通信値とワークだけでなく、数個の外部付属品（パソコンを含む）に作動的に接続された携帯電話のブロック略図である。
【図２】
図１に示された携帯電話およびパソコンのブロック図である。
【図３】
図１および２の携帯電話とパソコンとの間のスピーチ信号、データおよびファックスを伝送するためのプロトコル構造の略図である。
【図１】
2004511985.tif 000003
【図２】
2004511985.tif 000004
【図３】
2004511985.tif 000005
【国際公開パンフレット】
2004511985.tif 000006
2004511985.tif 000007
2004511985.tif 000008
2004511985.tif 000009
2004511985.tif 000010
2004511985.tif 000011
2004511985.tif 000012
2004511985.tif 000013
2004511985.tif 000014
2004511985.tif 000015
2004511985.tif 000016
2004511985.tif 000017
2004511985.tif 000018
2004511985.tif 000019
2004511985.tif 000020
2004511985.tif 000021
2004511985.tif 000022
2004511985.tif 000023
2004511985.tif 000024
2004511985.tif 000025
2004511985.tif 000026
【国際調査報告】
2004511985.tif 000027
2004511985.tif 000028